(57)【要約】【課題】  アクトベースの共振現象を確実に抑えること。【解決手段】  アクトベース４の四隅に貫設した位置決め孔１３をスライドベース２に一体突設した各芯棒１５及び各脚部１４の頂面に接近させて該アクトベース４をスライドベース２に対して位置決めした状態で、その各位置決め孔１３から各芯棒１５及び各脚部１４の頂面にかけて位置決め用接着剤１６を塗布することにより、アクトベース４のの四隅がスライドベース２に固定され、アクトベース４の中央部下面４ｃとスライドベース２のアクチュエータ配置面２ａとの間の隙間βの所定間隔をおいた４箇所に間隔保持用接着剤１７を塗布することにより、その間隔保持用接着剤１７を介してアクトベース４の中央部下面４ｃとアクチュエータ配置面２ａとが一体的に接続されている。【選択図】        図２
2007242202.tif 000002
【特許請求の範囲】
【請求項１】
ディスクの半径方向に沿って往復移動可能なスライドベース上にアクチュエータを配置
したものであって、該アクチュエータが、アクトベースと、該アクトベース上に配置した
対物レンズ付きレンズホルダと、該レンズホルダに取り付けた複数のコイルに接近してア
クトベースから切り起こした起立板に固着したマグネットとを有しており、各コイルに通
電することによりアクチュエータを駆動し、レーザ光を対物レンズからディスクに投射し
、その反射光を受光してディスクに記録されている情報を読み取るようにした光ピックア
ップにおいて、前記アクトベースの四隅に位置決め孔が貫設され、該各位置決め孔に対向
してスライドベースのアクチュエータ配置面に４つの脚部が所定間隔をおいて一体突設さ
れると共に、該各脚部の頂面中央に芯棒が一体突設され、前記各位置決め孔の内径が脚部
の頂面の外径よりも小さくて芯棒の外径よりも大きく設定されており、該各位置決め孔を
各芯棒及び各脚部の頂面に接近させてアクトベースをスライドベースに対して位置決めし
た状態でその各位置決め孔から各芯棒及び各脚部の頂面にかけて位置決め用接着剤を塗布
することにより、アクトベースの四隅がスライドベースに固定され、アクトベースの中央
部下面とアクチュエータ配置面との間の隙間の所定間隔をおいた複数箇所に間隔保持用接
着剤を塗布することにより、その間隔保持用接着剤を介してアクトベースの中央部下面と
アクチュエータ配置面とが一体的に接続されていることを特徴とする光ピックアップ。
【請求項２】
ディスクの半径方向に沿って往復移動可能なスライドベース上にアクチュエータを配置
したものであって、該アクチュエータが、アクトベースと、該アクトベース上に配置した
対物レンズ付きレンズホルダと、該レンズホルダに取り付けた複数のコイルに接近してア
クトベースから切り起こした起立板に固着したマグネットとを有しており、各コイルに通
電することによりアクチュエータを駆動し、レーザ光を対物レンズからディスクに投射し
、その反射光を受光してディスクに記録されている情報を読み取るようにした光ピックア
ップにおいて、前記アクトベースの四隅に位置決め孔が貫設され、該各位置決め孔に対向
してスライドベースのアクチュエータ配置面に４つの脚部が所定間隔をおいて一体突設さ
れると共に、該各脚部の頂面中央に芯棒が一体突設され、前記各位置決め孔の内径が脚部
の頂面の外径よりも小さくて芯棒の外径よりも大きく設定されており、該各位置決め孔を
各芯棒及び各脚部の頂面に接近させてアクトベースをスライドベースに対して位置決めし
た状態でその各位置決め孔から各芯棒及び各脚部の頂面にかけて紫外線硬化性接着剤から
なる位置決め用接着剤を塗布し、その位置決め用接着剤を紫外線の予備照射により半硬化
させた後、アクトベースの中央部下面とアクチュエータ配置面との間の隙間の所定間隔を
おいた複数箇所に紫外線硬化性接着剤からなる間隔保持用接着剤を塗布し、紫外線を所定
時間だけ本照射して位置決め用接着剤及び間隔保持用接着剤を完全硬化させることにより
、アクトベースの四隅をスライドベースに固定すると共に、アクトベースの中央部下面と
アクチュエータ配置面とを複数の間隔保持用接着剤を介して一体的に接続することを特徴
とする光ピックアップの組立方法。
【発明の詳細な説明】
【技術分野】
【０００１】
本発明は、ディスク装置（例えばＤＶＤレコーダやＤＶＤプレーヤなど）に使用される
光ピックアップとその組立方法に関し、特に、アクトベースの共振現象を確実に抑えるこ
とができるようにしたものである。
【背景技術】
【０００２】
従来、光ピックアップの一例として図５に示すものがある。これは、ガイドレール１に
支持されてディスクＤ〔図２（ｂ）参照〕の半径方向に沿って往復移動ａ，ｂ可能な金属
製スライドベース２上にアクチュエータ３を配置したものであって、該アクチュエータ３
が、四隅をスライドベース２に止着した金属製アクトベース４と、該アクトベース４上に
固定した合成樹脂製ゲルボックス５と、該ゲルボックス５に対向してアクトベース４の上
方に配置した対物レンズＯＬ付きレンズホルダ６と、該レンズホルダ６に取り付けた複数
のコイル（フォーカスコイル、トラッキングコイル及びチルトコイル）７に接近してアク
トベース４から切り起こした起立板４ａに固定したマグネット８と、アクトベース４から
切り起こされてレンズホルダ６内に挿通されたヨーク４ｂとを有し、前記ゲルボックス５
の両側面に一端を半田付け１０した複数の弾性ワイヤ９の他端がレンズホルダ６の両側面
に半田付け１０されている。なお、ゲルボックス５内にゲル１０が充填されており、その
ゲル１１中に各弾性ワイヤ９が挿通されている。
【０００３】
情報読取手順を説明すると、各弾性ワイヤ９を介して各コイル７に通電することにより
アクチュエータ３をフォーカシング方向及びトラッキング方向やチルト方向に駆動し、レ
ーザ光を対物レンズＯＬからディスクＤに投射し、その反射光を受光してディスクＤに記
録されている情報を読み取る。
【０００４】
図６は、評価用ディスクＤを再生したときのゲインＧ及び位相Ｐの周波数特性を示すも
のであって、位相交点付近α（１．５ＫＨｚ〜  ２．０ＫＨｚ）で不要共振ｃ，ｄが発生
している。
【０００５】
上記構成によれば、コストダウンを図るためにアクトベース４が薄肉化されており、そ
の結果、アクチュエータ３の駆動によりマグネット８を介して起立板４ａが振動され、そ
の振動がアクトベース４の固有振動数と一致することにより、該アクトベース４が共振現
象を起こして大きく振動され、ディスクＤに対する記録や再生に悪影響を与えることがあ
った。
【０００６】
上記共振現象を抑える技術の一例として、特許文献１などに記載しているように、アク
トベース４の端部とそれに対向するスライドベース２との間に接着剤を充填することがお
こなわれている。
【特許文献１】特開平１１−１４４３０６号公報
【発明の開示】
【発明が解決しようとする課題】
【０００７】
上記従来の構成では、アクチュエータ３の駆動による振動がアクトベース４に伝達され
ても、該アクトベース４の端部が接着剤を介してスライドベース２に止着されているので
、そのアクトベース４の共振現象が抑えられようになっているが、時間の経過に伴って、
アクトベース４に伝達された振動により、該アクトベース４の端部が上下動されて接着剤
が破断されやすく、その破断により、アクトベース４の振動を抑えるものが無くなり、そ
のアクトベース４が共振現象を起こすおそれがある。
【０００８】
本発明は、上記従来の欠点に鑑み、アクトベースの共振現象を確実に抑えることができ
るようにした光ピックアップとその組立方法を提供することを目的としている。
【課題を解決するための手段】
【０００９】
上記目的を達成するため、請求項１に記載の発明は、ディスクの半径方向に沿って往復
移動可能なスライドベース上にアクチュエータを配置したものであって、該アクチュエー
タが、アクトベースと、該アクトベース上に配置した対物レンズ付きレンズホルダと、該
レンズホルダに取り付けた複数のコイルに接近してアクトベースから切り起こした起立板
に固着したマグネットとを有しており、各コイルに通電することによりアクチュエータを
駆動し、レーザ光を対物レンズからディスクに投射し、その反射光を受光してディスクに
記録されている情報を読み取るようにした光ピックアップにおいて、前記アクトベースの
四隅に位置決め孔が貫設され、該各位置決め孔に対向してスライドベースのアクチュエー
タ配置面に４つの脚部が所定間隔をおいて一体突設されると共に、該各脚部の頂面中央に
芯棒が一体突設され、前記各位置決め孔の内径が脚部の頂面の外径よりも小さくて芯棒の
外径よりも大きく設定されており、該各位置決め孔を各芯棒及び各脚部の頂面に接近させ
てアクトベースをスライドベースに対して位置決めした状態でその各位置決め孔から各芯
棒及び各脚部の頂面にかけて位置決め用接着剤を塗布することにより、アクトベースの四
隅がスライドベースに固定され、アクトベースの中央部下面とアクチュエータ配置面との
間の隙間の所定間隔をおいた複数箇所に間隔保持用接着剤を塗布することにより、その間
隔保持用接着剤を介してアクトベースの中央部下面とアクチュエータ配置面とが一体的に
接続されていることを特徴としている。
【００１０】
請求項２に記載の発明は、ディスクの半径方向に沿って往復移動可能なスライドベース
上にアクチュエータを配置したものであって、該アクチュエータが、アクトベースと、該
アクトベース上に配置した対物レンズ付きレンズホルダと、該レンズホルダに取り付けた
複数のコイルに接近してアクトベースから切り起こした起立板に固着したマグネットとを
有しており、各コイルに通電することによりアクチュエータを駆動し、レーザ光を対物レ
ンズからディスクに投射し、その反射光を受光してディスクに記録されている情報を読み
取るようにした光ピックアップにおいて、前記アクトベースの四隅に位置決め孔が貫設さ
れ、該各位置決め孔に対向してスライドベースのアクチュエータ配置面に４つの脚部が所
定間隔をおいて一体突設されると共に、該各脚部の頂面中央に芯棒が一体突設され、前記
各位置決め孔の内径が脚部の頂面の外径よりも小さくて芯棒の外径よりも大きく設定され
ており、該各位置決め孔を各芯棒及び各脚部の頂面に接近させてアクトベースをスライド
ベースに対して位置決めした状態でその各位置決め孔から各芯棒及び各脚部の頂面にかけ
て紫外線硬化性接着剤からなる位置決め用接着剤を塗布し、その位置決め用接着剤を紫外
線の予備照射により半硬化させた後、アクトベースの中央部下面とアクチュエータ配置面
との間の隙間の所定間隔をおいた複数箇所に紫外線硬化性接着剤からなる間隔保持用接着
剤を塗布し、紫外線を所定時間だけ本照射して位置決め用接着剤及び間隔保持用接着剤を
完全硬化させることにより、アクトベースの四隅をスライドベースに固定すると共に、ア
クトベースの中央部下面とアクチュエータ配置面とを複数の間隔保持用接着剤を介して一
体的に接続することを特徴としている。
【発明の効果】
【００１１】
請求項１に記載の発明によれば、アクチュエータの駆動によりアクトベースに伝達され
た振動で該アクトベースの中央部下面がスライドベースのアクチュエータ配置面に対して
接近離間され、その間に介在させた間隔保持用接着剤に対して主に伸縮力がかかるだけで
あるから、該間隔保持用接着剤が破断されることがなく、その間隔保持用接着剤によりア
クトベース３の中央部下面を支えて共振現象を抑えることができ、ディスクに対する記録
や再生を良好に行うことができる。
【００１２】
請求項２に記載の発明によれば、第１工程で、位置決め用接着剤を半硬化させることに
より、対物レンズの光軸をレーザ光の光軸に精密に一致させた状態を仮固定した後、第２
工程で位置決め用接着剤及び間隔保持用接着剤を本硬化させ、その位置決め用接着剤及び
間隔保持用接着剤の硬化収縮による引張力がアクトベースの全体にかかるようにして、そ
のアクトベースが部分的に撓まないようにしているので、対物レンズの光軸をレーザ光の
光軸に精密に一致させた状態をそのまま確実に保持することができる。
【００１３】
ここで重要なことは、仮に、第１工程で位置決め用接着剤を完全硬化させ、第２工程で
間隔保持用接着剤を完全硬化させたときには、その間隔保持用接着剤の硬化収縮によりア
クトベースの中央部が撓んで対物レンズの光軸がレーザ光の光軸から微妙にずれるおそれ
があり、この難点を本発明では確実に解消することができる。
【発明を実施するための最良の形態】
【００１４】
図１及び図２は本発明の実施の一形態である光ピックアップを示すものであって、アク
トベース４の四隅に位置決め孔１３が貫設され、該各位置決め孔１３に対向してスライド
ベース２のアクチュエータ配置面２ａに４つの脚部１４が所定間隔をおいて一体突設され
ると共に、該各脚部１４の頂面中央に芯棒１５が一体突設され、前記各位置決め孔１３の
内径ｄ１が脚部１４の頂面の外径ｄ２よりも小さくて芯棒１５の外径ｄ３よりも大きく設
定されており、該位置決め孔１３を各芯棒１５及び各脚部１４の頂面に接近させてアクト
ベース４をスライドベース２に対して三次元調整により位置決めした状態で、その各位置
決め孔１３から各芯棒１５及び各脚部１４の頂面にかけて位置決め用接着剤１６を塗布す
ることにより、アクトベース４の四隅がスライドベース２に固定され、アクトベース４の
中央部下面４ｃとアクチュエータ配置面２ａとの間の隙間βの所定間隔をおいた複数箇所
（この実施の構成では４箇所）に間隔保持用接着剤１７を塗布することにより、その間隔
保持用接着剤１７を介してアクトベース４の中央部下面４ｃとアクチュエータ配置面２ａ
とが一体的に接続されている。上記以外の構成は図５に示す構成とほぼ同じであるから、
同一部分に同一符号を付してその説明を省略する。
【００１５】
上記構成によれば、アクチュエータ３の駆動によりアクトベース４に伝達された振動で
該アクトベース４の中央部下面４ｃがスライドベース２のアクチュエータ配置面２ａに対
して接近離間ｅ，ｆされ〔図２（ｃ）の拡大図参照〕、その間に介在させた間隔保持用接
着剤１７に対して主に伸縮力がかかるだけであるから、該間隔保持用接着剤１７が破断さ
れることがなく、その間隔保持用接着剤１７によりアクトベース３の中央部下面４ｃを支
えて共振現象を抑えることができ、ディスクＤに対する記録や再生を良好に行うことがで
きる。
【００１６】
光ピックアップの組立方法を説明すると、図３（ａ）に示すように、各位置決め孔１３
を各芯棒１５及び各脚部１４の頂面に接近させてアクトベース４をスライドベース２に対
して三次元調整により位置決めする。
【００１７】
次に、図３（ｂ）に示すように、注入器１９により紫外線硬化性接着剤からなる位置決
め用接着剤１６を各位置決め孔１３から各芯棒１５及び各脚部１４の頂面にかけて塗布し
〔図２（ｂ）の拡大図参照〕、紫外線の予備照射２０を短時間（例えば５秒）だけおこな
って位置決め用接着剤１６を半硬化させる。
【００１８】
その後、図３（ｃ）に示すように、注入器１９により紫外線硬化性接着剤からなる間隔
保持用接着剤１７をアクトベース４の中央部下面４ｃとアクチュエータ配置面２ａとの間
の隙間βの所定間隔をおいた複数箇所（この実施の形態では４箇所）に塗布し、紫外線を
所定時間（例えば３０秒）だけ本照射２１して位置決め用接着剤１６及び間隔保持用接着
剤１７を完全硬化させることにより、アクトベース４の四隅をスライドベース２に固定す
ると共に、アクトベース４の中央部下面４ｃとアクチュエータ配置面２ａとを複数の間隔
保持用接着剤１７を介して一体的に接続する。
【００１９】
図４は、評価用ディスクＤを再生したときのゲインＧ及び位相Ｐの周波数特性を示すも
のであって、位相交点付近α（１．５ＫＨｚ〜  ２．０ＫＨｚ）で発生していた不要共振
ｃ，ｄ（図６参照）を広域へシフトさせて抑えている。
【００２０】
上記構成によれば、第１工程〔図３（ｂ）参照〕で、位置決め用接着剤１６を半硬化さ
せることにより、対物レンズＯＬの光軸をレーザ光の光軸に精密に一致させた状態を仮固
定した後、第２工程〔図３（ｃ）参照〕で位置決め用接着剤１６及び間隔保持用接着剤１
７を本硬化させ、その位置決め用接着剤１６及び間隔保持用接着剤１７の硬化収縮による
引張力がアクトベース４の全体にかかるようにして、そのアクトベース４が部分的に撓ま
ないようにしているので、対物レンズＯＬの光軸をレーザ光の光軸に精密に一致させた状
態をそのまま確実に保持することができる。
【００２１】
ここで重要なことは、仮に、第１工程で予備照射２０を省略し本照射２１だけで位置決
め用接着剤１６を完全硬化させ、第２工程で間隔保持用接着剤１７を完全硬化させたとき
には、その間隔保持用接着剤１７の硬化収縮によりアクトベース４の中央部が撓んで対物
レンズＯＬの光軸がレーザ光の光軸から微妙にずれるおそれがあり、この難点を本発明で
は確実に解消することができる。
【図面の簡単な説明】
【００２２】
【図１】本発明の実施の一形態である光ピックアップの斜視図である。
【図２】（ａ）は同平面図、（ｂ）は同一部切欠き側面図、（ｃ）はＡ−Ａ矢視図である。
【図３】（ａ）〜（ｃ）は光ピックアップの組立方法を示す概略図である。
【図４】同周波数特性を示すグラフである。
【図５】従来例を示す斜視図である。
【図６】同周波数特性を示すグラフである。
【符号の説明】
【００２３】
２          スライドベース
３          アクチュエータ
４          アクトベース
４ａ        アクトベースの起立板
４ｃ        アクトベースの中央部下面
６          レンズホルダ
７          コイル
８          マグネット
１３        位置決め孔
１４        脚部
１５        芯棒
１６        位置決め用接着剤
１７        間隔保持用接着剤
２０        予備照射
２１        本照射
Ｄ          ディスク
ＯＬ        対物レンズ
【図１】
2007242202.tif 000003
【図２】
2007242202.tif 000004
【図３】
2007242202.tif 000005
【図４】
2007242202.tif 000006
【図５】
2007242202.tif 000007
【図６】
2007242202.tif 000008